(57)【要約】      （修正有）【課題】壁や枠などにねじ穴を形成することなく、カーテンレールを固定するカーテンレールキットおよびカーテンレール装置を提供する。【解決手段】カーテンレール装置１００は、窓枠１０１を挟み付けるための複数の枠クランプ１１０と、枠クランプ１１０に保持されるカーテンレール１０３と、カーテンレール１０３を枠クランプ１１０に相対的に移動しないように固定する固定部材とを具備しており、固定部材は、断面がコの字状に形成されていて、カーテンレール１０３に対して弾性的に圧力を加え、横方向への移動を防止する。窓枠にねじ穴を開けることなくカーテンを保持することが可能とされている。【選択図】図１
0003211394.tif 000002
【実用新案登録請求の範囲】
【請求項１】
窓枠を挟み付けるための複数の枠クランプと、
前記枠クランプに保持されるカーテンレールと、
前記カーテンレールを前記枠クランプに相対的に移動しないように固定する固定部材と
を具備するカーテンレールキット。
【請求項２】
窓枠を挟み付けるための複数の枠クランプと、
前記枠クランプに保持されるカーテンレールと、
前記カーテンレールを前記枠クランプに相対的に移動しないように固定する固定部材と
を具備し、前記窓枠を前記複数の枠クランプが挟み付けることで、カーテンを保持する、カーテンレール装置。
【考案の詳細な説明】
【技術分野】
【０００１】
本考案は、カーテンレールキットおよびカーテンレール装置に関する。
【背景技術】
【０００２】
住宅の窓は、外部からの視線を遮ったり、日光を遮ったりする目的でカーテンを備えているのが普通である。カーテンは、窓の近くに設置されたカーテンレールにカーテンをつり下げて設置するが、カーテンレールの設置は、多くの場合、建物の壁、木枠、窓枠に螺子などにより行われる。木螺子を使用してカーテンレールを設置すると、設置した箇所には、ねじ穴が形成され、賃貸住宅の場合には、壁、枠の損傷を生じさせ、家主の負担も増加する。また、賃借人もねじ穴のない個所を探してカーテンレールを取り付けなければならず、この結果、カーテンレール取付箇所には、ねじ穴が次々と増えてゆき、見栄えも悪く、また家主の負担も増加する。
【０００３】
カーテンレールを取り付けるための構造は種々考案されており、例えば特開２０１２−２３５８１２号公報（特許文献１）には、壁などにカーテンレールをねじ止めする構成のカーテンレールが記載されている。
【先行技術文献】
【特許文献】
【０００４】
【特許文献１】特開２０１２−２３５８１２号公報
【考案の概要】
【考案が解決しようとする課題】
【０００５】
特許文献１に記載されたカーテンレールも、壁などにねじ止めするものであり、壁や枠にねじ穴を形成してしまうという問題を解決するものではない。
【課題を解決するための手段】
【０００６】
すなわち、本考案によれば、
窓枠を挟み付けるための複数の枠クランプと、
前記枠クランプに保持されるカーテンレールと、
前記カーテンレールを前記枠クランプに相対的に移動しないように固定する固定部材と
を具備するカーテンレールキットが提供される。
また、本考案によれば、
窓枠を挟み付けるための複数の枠クランプと、
前記枠クランプに保持されるカーテンレールと、
前記カーテンレールを前記枠クランプに相対的に移動しないように固定する固定部材と
を具備し、前記窓枠を前記複数の枠クランプが挟み付けることで、カーテンを保持する、カーテンレール装置が提供される。
【考案の効果】
【０００７】
本考案は、壁や枠などにねじ穴を形成することなく、カーテンレールを固定することを可能とする、カーテンレールキットおよびカーテンレール装置を提供することを可能とする。
【図面の簡単な説明】
【０００８】
【図１】本実施形態のカーテンレールを装着した窓１００の実施形態を示す図。
【図２】本実施形態の枠クランプ１１０の詳細な構成を示す図。
【図３】本実施形態の枠クランプ１１０にカーテンレール１０３を装着した場合の実施形態を示す図。
【図４】本実施形態の枠クランプ１１０の他の実施形態４００を示す図。
【図５】本実施形態の枠クランプ１１０の正面図。
【図６】本実施形態の枠クランプ１１０のさらに他の実施形態６００を示す図。
【図７】本実施形態の枠クランプ１１０のさらに他の実施形態７００を示す。
【考案を実施するための形態】
【０００９】
以下、本考案を説明するが、本考案は、説明する実施形態に限定されるものではない。図１は、本実施形態のカーテンレール装置１００を装着した窓の実施形態を示す。図１に示す窓は、木製の窓枠１０１が壁から突出して構成されており、窓枠１０１内にサッシ１０２がはめ込まれて形成されている。窓枠１０１の上枠には、枠クランプ１１０が固定されており、複数の枠クランプ１１０には、カーテンレール１０３が固定されている。図１に示すように、本考案では、窓枠や壁にねじ穴を形成することなく、カーテンレール１０３ひいてはカーテン（図示せず）を取り付けることが可能となる。
【００１０】
図２は、本実施形態の枠クランプ１１０の詳細な構成を示す。図２（ａ）は、分解図であり、図２（ｂ）は、使用される状態での組立図を示す。図２（ａ）に示すように、枠クランプ１１０は、クランプ１１０ａと、ねじ部１１０ｂとを含んで構成される。ねじ部１１０ｂの先端部には、回転可能に支持部材１１０ｃが配置されている。枠クランプ１００の材質として、プラスチック材料、金属材料、または部材に応じてプラスチック材料、金属材料を組み合わせて使用することができる。
【００１１】
図２（ｂ）は、クランプ１１０ａと、ねじ部１１０ｂとを結合した使用状態での実施形態を示す。ねじ部１１０ｂは、クランプ１１０ａの上部に形成された開口に螺合され、ねじ部１１０ｂの上部に配置されたつまみを回転させることにより、支持部材１１０ｃと、クランプ１１０ａの下部との間に窓枠を挟み込み、固定される。またクランプ１１０ａの他方の側には、カーテンレールを保持するための収容溝が形成されていて、カーテンレールの保持を容易にさせている。
【００１２】
図３は、本実施形態の枠クランプ１１０にカーテンレール１０３を装着した場合の実施形態を示す。図３（ａ）に示すように、カーテンレール１０３は、クランプ１１０ａの収容溝に挿入されており、カーテン（図示せず）は、フック部材３０３につり下げられて保持される。またカーテンレール１０３自体は、固定部材３０２により、クランプ１１０ａに固定されて、カーテンの横移動に伴う共動きを防止するようにされている。
【００１３】
図３（ｂ）は、図３（ａ）の矢線Ａの方向から見た場合の、カーテンレール１０３と、固定部材３０２の配置を示した図である、固定部材３０２は、剛性および固定性を改善するため、断面がコの字状に形成されていて、カーテンレール１０３に対して弾性的に圧力を加え、横方向への移動を防止する。
【００１４】
図４は、本実施形態の枠クランプ１１０の他の実施形態４００を示す。図４に示した枠クランプ１１０には、カーテンレール１０３を保持するための収容溝は形成されておらず、クランプ１１０ａの背面にそのまま固定部材３０２により固定されている。図３で示した実施形態に比較してカーテンレール１０３の保持性は低下するが、クランプ１１０ａの構成が簡易となり、またカーテンレール１０３の構成も単純化することができる。
【００１５】
図５は、枠クランプ１１０の実施形態５００の正面図である。図５に示す実施形態５００では、枠クランプ１１０は、クランプ１１０ａの下部と、支持部材１１０ｃとの間に窓枠１０１を保持することで、固定する。図６は、枠クランプ１１０のさらに他の実施形態６００を示す。図６の実施形態では、クランプ１１０ａの上部および支持部材１１０ｃの下部に、例えば、高弾性ゲルといった弾性部材１１０ｅを取付け、保持性を改善するとともに、窓枠１０１の損傷を抑制することが可能な構成とされている。
【００１６】
図７は、本実施形態の枠クランプ１１０のさらに他の実施形態７００を示す。図７（ａ）は、側面図を示し、図７の実施形態では、枠クランプ１１０は、移動部材１１１と、ベース部材１１２とから構成されている。ねじ部１１０ｂは、移動部材１１１に形成された内ねじに螺合してさらにベース部材１１２まで延びて、その先端が回転可能にベース部材１１２に保持されている。さらに移動部材１１１は、ベース部材１１２の垂直部に一部が移動可能に保持されており、ねじ部１１０ｂの回転に応じて移動部材１１１を上下移動させ、窓枠１０１を挟み込むことが可能とされている。
【００１７】
移動部材１１１およびベース部材１１２の一端には、ローレットが形成されるか、または弾性部材１１０ｅが取り付けられており、窓枠１０１をしっかりと挟持することを可能としている。
【００１８】
図７（ｂ）は、矢線Ｃから見た断面図であり、ベース部材１１２の垂直部に形成された溝に移動部材１１１の端部が移動可能に保持されているのが示されている。また、カーテンレール１０３を固定するための固定部材３０２を固定するための止めねじ３０４の配置される位置が示されている。
【００１９】
以上の構成により、本考案によれば、窓枠を傷つけることなく、カーテンレールを固定することが可能な、カーテンレールキットおよびカーテンレール装置を提供することができる。
【００２０】
これまで本考案を、実施形態をもって説明してきたが、本考案は、実施形態に限定されるものではなく、他の実施形態、追加、変更、削除など、当業者が想到することができる範囲内で変更することができ、いずれの態様においても本発明の作用・効果を奏する限り、本考案の範囲に含まれるものである。
【符号の説明】
【００２１】
１００    ：カーテンレール装置
１０１    ：窓枠
１０２    ：サッシ
１０３    ：カーテンレール
１１０    ：枠クランプ
１１０ａ  ：クランプ
１１０ｂ  ：ねじ部
１１０ｃ  ：支持部材
１１０ｅ  ：弾性部材
１１１    ：移動部材
１１２    ：ベース部材
３０２    ：固定部材
３０３    ：フック部材
３０４    ：止めねじ
【図１】
0003211394.tif 000003
【図２】
0003211394.tif 000004
【図３】
0003211394.tif 000005
【図４】
0003211394.tif 000006
【図５】
0003211394.tif 000007
【図６】
0003211394.tif 000008
【図７】
0003211394.tif 000009